(57)【要約】【課題】オイル漏れが発生した場合でも、オイルフィルターケースを円滑に取り外すことができるオイルフィルターケースの着脱工具を提供する。【解決手段】環状の側壁部１１と該側壁部１１に連続する底部１２とにより形成された空間部１３を有する工具本体１０と、側壁部１１における空間部１３側の部分に形成され、オイルフィルターケース１００の角部１０１の少なくとも一部と係合する複数の係合面２１，３１，４１と、側壁部１１の周方向において相隣接する係合面２１，３１，４１の間に設けられ、係合面２１，３１，４１よりも反空間部１３側に向かって凹んだ複数の溝部２２，３２，４２と、底部１２に設けられた孔部５０と、孔部５０により空間部１３と連通する収容部７１を有し、工具本体１０に結合された容器７０とを備える。【選択図】図３
2020138263.tif 000002
【特許請求の範囲】
【請求項１】
オイル貯留部に接続部を介して取り付けられかつ複数の角部が形成された横断面を有するオイルフィルターケースの着脱工具であって、
環状の側壁部と該側壁部に連続する底部とにより形成された空間部を有する工具本体と、
前記側壁部における空間部側の部分に形成され、前記複数の角部の少なくとも一部と係合する複数の係合面と、
周方向における前記係合面の間に設けられ、前記係合面よりも反空間部側に向かって凹んだ複数の溝部と、
前記底部に設けられた孔部と、
前記孔部により前記空間部と連通する収容部を有し、前記工具本体に結合された容器とを備え、
前記各角部と前記各係合面とが係合された状態で、前記オイルフィルターケースが回転されて該オイルフィルターケースが着脱されることを特徴とするオイルフィルターケースの着脱工具。
【請求項２】
請求項１に記載のオイルフィルターケースの着脱工具において、
前記複数の溝部のうち前記周方向に連続して並んだ３つの溝部を、順に、第１溝部、第２溝部、及び第３溝部として、
第１溝部と第２溝部との間の前記周方向の距離と、第２溝部と第３溝部との間の前記周方向の距離とが異なることを特徴とするオイルフィルターケースの着脱工具。
【請求項３】
請求項１又は２に記載のオイルフィルターケースの着脱工具において、
前記工具本体における反容器側の端部には、前記側壁部に連続しかつ前記オイルフィルターケースよりも大きな横断面積を有する環状の受け皿部が設けられており、
前記複数の溝部は、前記受け皿部の前記空間部側の部分と連続していることを特徴とするオイルフィルターケースの着脱工具。
【請求項４】
請求項１〜３のいずれか１つに記載のオイルフィルターケースの着脱工具において、
前記底部における前記側壁部と前記孔部との間の部分には、前記孔部に向かって環軸方向の前記容器側に傾斜した傾斜面が形成されていることを特徴とするオイルフィルターケースの着脱工具。
【請求項５】
請求項１〜４のいずれか１つに記載のオイルフィルターケースの着脱工具において、
前記各溝部の溝幅は、前記各係合面の前記周方向における長さの３５％〜４５％であることを特徴とするオイルフィルターケースの着脱工具。
【請求項６】
請求項１〜５のいずれか１つに記載のオイルフィルターケースの着脱工具において、
前記側壁部は、環軸方向の前記底部側に向かって前記空間部の横断面積が小さくなるような複数段構成をなしており、
前記各溝部は、特定の段の側壁部とオイルフィルターケースとが係合した状態において、該特定の段の前記側壁部に設けられた溝部が前記環軸方向に連通するように構成されていることを特徴とするオイルフィルターケースの着脱工具。
【請求項７】
請求項１〜６のいずれか１つに記載のオイルフィルターケースの着脱工具において、
前記容器は、前記工具本体に対して着脱可能に結合されていることを特徴とするオイルフィルターケースの着脱工具。
【発明の詳細な説明】
【技術分野】
【０００１】
本発明は、オイルフィルターケースを着脱する際に用いられる着脱工具に関する技術分野に属する。
【背景技術】
【０００２】
従来より、オイルフィルターケースを着脱するための工具が知られている。
【０００３】
特許文献１には、底部と側壁とから形成される空間部を有し、底部の内側面に円錐状突起が環状に等配形成され、底部に排出孔が形成され、底部の外側面に排出孔に連通する排油管が垂設されている着脱工具が開示されている。
【先行技術文献】
【特許文献】
【０００４】
【特許文献１】実開昭５９−８６９７６号公報
【発明の概要】
【発明が解決しようとする課題】
【０００５】
ところで、オイルフィルターケースをオイル貯留部（オイルパンなど）から取り外したときには、オイルが漏れ出ることがある。
【０００６】
特許文献１に記載の着脱工具は、オイルフィルターケースを貯留部から取り外したときに漏れ出るオイルを空間部で受け止めることで、漏れ出たオイルが作業者に付着するのを抑制している。また、特許文献１に記載の着脱工具は、底部に設けられた突起でオイルフィルターケースを挟持することで、オイルフィルターケースを離脱方向に回転できるようにしている。
【０００７】
しかしながら、特許文献１に記載の着脱工具は、オイルフィルターケースと突起との接触面積が小さい。このため、オイルフィルターケースの取り外し中にオイル漏れが発生したときには、オイルフィルターケースと突起との間にオイルが入って、突起が滑るようになってしまう。これにより、着脱工具によってオイルフィルターケースを取り外しにくくなる。
【０００８】
本発明は、斯かる点に鑑みてなされたものであり、その目的とするところは、オイル漏れが発生した場合でも、オイルフィルターケースを円滑に取り外すことができるオイルフィルターケースの着脱工具を提供することにある。
【課題を解決するための手段】
【０００９】
前記課題を解決するために、本発明は、オイル貯留部に接続部を介して取り付けられかつ複数の角部が形成された横断面を有するオイルフィルターケースの着脱工具を対象として、環状の側壁部と該側壁部に連続する底部とにより形成された空間部を有する工具本体と、前記側壁部における空間部側の部分に形成され、前記複数の角部の少なくとも一部と係合する複数の係合面と、周方向における前記係合面の間に設けられ、前記係合面よりも反空間部側に向かって凹んだ複数の溝部と、前記底部に設けられた孔部と、前記孔部により前記空間部と連通する収容部を有し、前記工具本体に結合された容器とを備え、前記各角部と前記各係合面とが係合された状態で、前記オイルフィルターケースが回転されて該オイルフィルターケースが着脱される、という構成とした。
【００１０】
この構成によると、オイルフィルターケースの取り外し中にオイル漏れが発生したときには、オイルは空間部内に入って、溝部に沿って流れ落ちる。このときでも、着脱工具の係合面はオイルフィルターケースの角部とそれぞれ係合した状態が維持される。このため、オイル漏れが発生した場合でも、オイルフィルターケースを円滑に取り外すことができる。
【００１１】
また、溝部に沿って流れ落ちたオイルは、孔部を介して収容部に流れる。これにより、漏れ出たオイルの回収が可能となる。
【００１２】
前記オイルフィルターケースの着脱工具において、前記複数の溝部のうち前記周方向に連続して並んだ３つの溝部を、順に、第１溝部、第２溝部、及び第３溝部として、第１溝部と第２溝部との間の前記周方向の距離と、第２溝部と第３溝部との間の前記周方向の距離とが異なる、という構成でもよい。
【００１３】
この構成によると、各係合面の周方向の並びと各溝部の周方向の並びとが相違するようになる。これにより、オイルフィルターケースの角部が誤って溝部と係合することが適切に抑制される。この結果、オイルフィルターケースをより円滑に取り外すことができる。
【００１４】
前記オイルフィルターケースの着脱工具において、前記工具本体における反容器側の端部には、前記側壁部に連続しかつ前記オイルフィルターケースよりも大きな横断面積を有する環状の受け皿部が設けられており、前記複数の溝部は、前記受け皿部の前記空間部側の部分と連続している、という構成でもよい。
【００１５】
この構成によると、オイルフィルターケースの離脱中に漏れ出たオイルは、一旦、受け皿部で受け止められる。受け皿部は溝部と連続しているため、前記オイルは受け皿部から溝部に沿って流れ落ちる。これにより、係合面と角部との間にオイルが入り込むのを適切に抑制することができる。この結果、オイルフィルターケースを一層円滑に取り外すことができる。
【００１６】
前記オイルフィルターケースの着脱工具において、前記底部における前記側壁部と前記孔部との間の部分には、前記孔部に向かって環軸方向の前記容器側に傾斜した傾斜面が形成されている、という構成でもよい。
【００１７】
この構成によると、溝部に沿って流れ落ちて底部に到達したオイルは、孔部に向かって流れやすくなる。これにより、漏れ出たオイルの回収が容易になる。
【００１８】
前記オイルフィルターケースの着脱工具において、前記各溝部の溝幅は、前記各係合面の前記周方向における長さの３５％〜４５％である、という構成でもよい。
【００１９】
この構成によると、オイルが溝部を流れやすくなる。これにより、漏れ出たオイルの回収が容易になる。
【００２０】
前記オイルフィルターケースの着脱工具において、前記側壁部は、環軸方向の前記底部側に向かって前記空間部の横断面積が小さくなるような複数段構成をなしており、前記各溝部は、特定の段の側壁部とオイルフィルターケースとが係合した状態において、該特定の段の前記側壁部に設けられた溝部が前記環軸方向に連通するように構成されている、という構成でもよい。
【００２１】
すなわち、オイルフィルターケースは規格により種々の大きさがある。このため、前記構成のように複数段構成となっていれば、種々の規格のオイルフィルターケースに対応することができる。この結果、オイルフィルターケースをより一層円滑に取り外すことができる。
【００２２】
前記オイルフィルターケースの着脱工具において、前記容器は、前記工具本体に対して着脱可能に結合されている、という構成でもよい。
【００２３】
この構成によると、回収したオイルの廃棄や再利用が容易になる。
【発明の効果】
【００２４】
以上説明したように、本発明に係るオイルフィルターケースの着脱工具によると、オイルフィルターケースの離脱中に、オイル漏れが発生した場合でも、オイルフィルターケースを円滑に取り外すことができる。
【図面の簡単な説明】
【００２５】
【図１】実施形態１に係るオイルフィルターケースの着脱工具を示す正面図である。
【図２】着脱工具を用いて取り外されるオイルフィルターケースを示す概略図である。
【図３】工具本体の断面斜視図である。
【図４】工具本体を環軸方向から見た図である。
【図５】工具本体とオイルフィルターケースとの係合状態を示す拡大図である。
【図６】着脱工具を用いてオイルフィルターケースを取り外す過程を示す図である。
【図７】図６における工具本体周辺の拡大図である。
【図８】着脱工具の変形例を示す正面図である。
【図９】実施形態２に係る着脱工具の工具本体の断面斜視図である。
【図１０】実施形態２に係る着脱工具の工具本体を環軸方向から見た図である。
【図１１】実施形態３に係る着脱工具の工具本体の断面斜視図である。
【図１２】実施形態３に係る着脱工具の工具本体を環軸方向から見た図である。
【図１３】実施形態４に係る着脱工具の工具本体の側面図である。
【図１４】実施形態４に係る着脱工具の工具本体の断面斜視図である。
【図１５】実施形態４に係る着脱工具の工具本体を環軸方向から見た図である。
【図１６】実施形態４に係る着脱工具の工具本体の拡大断面図であって、該工具本体をオイルフィルターケースに嵌め込んだ状態を示す。
【発明を実施するための形態】
【００２６】
以下、本発明の実施形態を図面に基づいて詳細に説明する。
【００２７】
（実施形態１）
図１は、本実施形態１に係る着脱工具１を示し、図２は、該着脱工具１を用いて取り外されるオイルフィルターケース１００を示す。図２に示すように、オイルフィルターケース１００は、内燃機関のオイルパンＰ（オイル貯留部）に取り付けられたオイルフィルターを覆っている。オイルフィルターケース１００は、有底円筒状をなしている。オイルフィルターケース１００は、周面部における底部寄りの部分に周方向に並ぶ複数の角部１０１を有する。つまり、オイルフィルターケース１００は、複数の角部１０１が形成された横断面を有する。
【００２８】
図１に示すように、着脱工具１は、工具本体１０と、工具本体１０に結合される容器５０とを備える。本実施形態１においては、工具本体１０と容器７０とは着脱可能に結合されている。
【００２９】
工具本体１０は、図３及び図４に示すように、環状の側壁部１１と該側壁部１１に連続する底部１２とにより形成された空間部１３を有する。工具本体１１は、環軸Ｘの延びる方向（以下、環軸方向という）における底部１２とは反対側が開口している。工具本体１０は、樹脂で形成されている。
【００３０】
側壁部１１は、図１及び図３に示すように、工具本体１０の開口側から底部１側に向かって段状に縮径している。具体的には、側壁部１１は、環軸方向の底部１２側に向かって空間部１３の横断面積が小さくなるような複数段（ここでは３段）構成をなしている。以下の説明では、側壁部１１の各段部について、開口側から底部１２側に向かって、上段部２０、中段部３０、及び下段部４０という。
【００３１】
上段部２０は、最も横断面積の大きい部分である。上段部２０の空間部１３側の部分には、複数の角部１０１の少なくとも一部と係合する複数の上段係合面２１が周方向に並んで形成されている。周方向に相隣接する２つの上段係合面２１の間には角部が形成されており、上段部２０の横断面形状は略多角形状をなしている。図３及び図４に示すように、各上段係合面２１の周方向の間には、該上段係合面２１よりも反空間部１３側に向かって凹んだ複数の上段溝部２２がそれぞれ形成されている。特に、本実施形態１では、上段溝部２２は、上段係合面２１の周方向の中間部分に設けられている。各上段溝部２２は、上段係合面２１の環軸方向の全体に亘って延びている。上段溝部２２の溝幅Ｗ１１は、上段係合面２１の面幅Ｗ１２（周方向の幅）に対して約３９％の大きさである。尚、上段溝部２２の溝幅Ｗ１１の上段係合面２１の面幅Ｗ１２に対する比率は、３５％〜４５％であれば、任意に設定可能である。
【００３２】
図４に示すように、周方向に連続して並んだ３つの上段溝部２２は、３つの上段溝部２２を、周方向に順に、第１上段溝部２２ａ、第２上段溝部２２ｂ、及び第３上段溝部２２ｃとして、第１上段溝部２２ａと第２上段溝部２２ｂとの間の周方向の距離と、第２上段溝部２２ｂと第３上段溝部２２ｃとの間の周方向の距離とが異なるように並んでいる。例えば、図４では、第１〜第３上段溝部２２ａ〜２２ｃは、第１上段溝部２２ａと第２上段溝部２２ｂとの間の周方向の距離Ｌ１が、第２上段溝部２２ｂと第３上段溝部２２ｃとの間の周方向の距離Ｌ２よりも長くなるように並んでいる。
【００３３】
図３に示すように、上段部２０と中段部３０との境界部において、各上段溝部２２にはアールが形成されている。このアールは、オイルフィルターケース１００の側面と底面との間のアールよりも大きい曲率半径を有する。
【００３４】
中段部３０は、横断面積が上段部２０より小さくかつ下段部４０より大きい部分である。中段部３０の空間部１３側の部分にも、上段部２０と同様に、複数の角部１０１の少なくとも一部と係合する複数の中段係合面３１が周方向に並んで形成されている。また、各中段係合面３１の間には、上段部２０と同様に、該中段係合面３１よりも反空間部１３側に向かって凹んだ複数の中段溝部３２がそれぞれ形成されている。特に、本実施形態１では、中段溝部３２は、中段係合面３１の中間部分に設けられている。各中段溝部３２は、中段係合面３１の環軸方向の全体に亘って延びている。尚、中段溝部３２の溝幅の中段係合面３１の面幅に対する比率は４２％である。該比率は、３５％〜４５％であれば、任意に設定可能である。
【００３５】
図４に示すように、各中段溝部３２の周方向における並びは、上段溝部２２と同様に、周方向に連続して並んだ３つの中段溝部３２は、３つの中段溝部３２を、周方向に順に、第１中段溝部３２ａ、第２中段溝部３２ｂ、及び第３中段溝部３２ｃとして、第１中段溝部３２ａと第２中段溝部３２ｂとの間の周方向の距離と、第２中段溝部３２ｂと第３中段溝部３２ｃとの間の周方向の距離とが異なるように並んでいる。
【００３６】
尚、中段部３０と下段部４０との境界部において、各中段溝部３２には、上段溝部２２と同様に、アールが形成されている。このアールは、オイルフィルターケース１００の側面と底面との間のアールよりも大きい曲率半径を有する。
【００３７】
下段部４０は、横断面積が最も小さい部分である。下段部４０の空間部１３側の部分にも、上段部２０及び中段部３０と同様に、複数の角部１０１の少なくとも一部と係合する複数の下段係合面４１が周方向に並んで形成されている。また、各下段係合面４１の間には、上段部２０及び中段部３０と同様に、該下段係合面４１よりも反空間部側に向かって凹んだ複数の下段溝部４２がそれぞれ形成されている。特に、本実施形態１では、下段溝部４２は、下段係合面４１の中間部分に設けられている。各下段溝部４２は、下段係合面４１の環軸方向の全体に亘って延びている。尚、下段溝部４２の溝幅の下段係合面４１の面幅に対する比率は４２％である。該比率は、３５％〜４５％であれば、任意に設定可能である。
【００３８】
図４に示すように、各下段溝部４２の周方向における並びは、上段溝部２２及び中段溝部３２と同様に、周方向に連続して並んだ３つの下段溝部４２は、３つの下段溝部４２を、周方向に順に、第１下段溝部４２ａ、第２下段溝部４２ｂ、及び第３下段溝部４２ｃとして、第１下段溝部４２ａと第２下段溝部４２ｂとの間の周方向の距離と、第２下段溝部４２ｂと第３下段溝部４２ｃとの間の周方向の距離とが異なるように並んでいる。
【００３９】
尚、下段部３０と底部１２との境界部において、各下段溝部４２には、上段溝部２２及び中段溝部３２と同様に、アールが形成されている。このアールは、オイルフィルターケース１００の側面と底面との間のアールよりも大きい曲率半径を有する。
【００４０】
図５には、工具本体１０とオイルフィルターケース１００との係合状態を示す。図５に示すように、工具本体１０によりオイルフィルターケース１００をオイルパンＰから取り外すときには、対応する段部２０，３０，４０の係合面２１，３１，４１とオイルフィルターケース１００の角部１０１とが、面接触に近い状態で接触する。そして、係合面２１，３１，４１からオイルフィルターケース１００に力が伝達されて、該オイルフィルターケース１００が回転する。
【００４１】
工具本体１０における容器７０とは反対側の端部、詳しくは、前記環軸方向における上段部２０よりも反底部１２側の部分には、側壁部１１に連続しかつオイルフィルターケース１００よりも大きな横断面積を有する環状の受け皿部１４が設けられている。上段部２０の複数の上段溝部２２は、受け皿部１４の空間部１３側の部分と連続している。
【００４２】
底部１２は、径方向の中央に孔部５０を有する。孔部５０は、空間部１３と容器７０の収容部７１とを連通させている。
【００４３】
図３に示すように、底部１２における側壁部１１と孔部５０との間の部分には、孔部５０に向かって環軸方向の容器７０側に傾斜した傾斜面５１が形成されている。
【００４４】
図３に示すように、工具本体１０における底部１２に対して反空間部１３側には、容器７０が螺号するスクリュー部１５が形成されている。容器７０は、スクリュー部１５を介して工具本体１０に着脱可能に結合されている。
【００４５】
本実施形態１に係る着脱工具１により、オイルフィルターケース１００をオイルパンＰから取り外すには、まず、図６に示すように、工具本体１０の空間部１３内にオイルフィルターケース１００が収容されるように、オイルフィルターケース１００の外側に工具本体１０を嵌め込む。次に、工具本体１０の係合面（ここでは、中段係合面３１）とオイルフィルターケース１００の角部１０１とを係合させる。その後、容器７０ごと工具本体１０を回転させることで、オイルフィルターケース１００がオイルパンＰから取り外される。尚、本実施形態においては、オイルフィルターケース１００はオイルフィルター本体ごとオイルパンＰから取り外される。
【００４６】
ここで、オイルフィルターケース１００をオイルパンＰから取り外したときに、オイルフィルターケース１００とオイルパンＰとの間の隙間からオイルが漏れ出ることがある。これに対して、本実施形態１に記載の着脱工具１によると、図７に示すように、オイルフィルターケース１００の取り外し中にオイル漏れが発生したときには、オイルは空間部１３内に入って、溝部（ここでは中段溝部３２）に沿って流れ落ちる。すなわち、側壁部１１に形成された複数の溝部は、それぞれ、係合面よりも反空間部１３側に向かって凹んでいるため、図５に示すように、係合面と角部１０１とが係合した状態では、各溝部の部分に隙間が形成される。また、溝部に形成されたアールによって、係合面と角部１０１とが係合した状態でも、溝部は環軸方向に連通した状態となる。これにより、溝部に流れたオイルは溝部を通って、底部１２まで流れ落ちた後、孔部５０を介して容器７０の収容部７１に流れ落ちる。
【００４７】
このとき、図３に黒矢印で示すように、オイルは各溝部２２，３２，４２を通って流れ落ちることもあれば、１つの溝部（図３では上段溝部２２）を通った後、係合していない係合面（図３では中段係合面３１及び下段係合面４１）に沿って流れ落ちることもある。
【００４８】
一方で、着脱工具１の係合面（ここでは中段係合面３１）とオイルフィルターケース１００の角部１０１との間にはオイルが入りにくい。これにより、着脱工具１の各係合面とオイルフィルターケース１００の各角部１０１とはそれぞれ係合した状態が維持される。
【００４９】
オイルフィルターケース１００が他の段（上段部２０及び下段部４０）と係合したときにも、同様に、オイルは対応する溝部に沿って流れて、底部１２に流れ落ちた後、孔部５０を介して容器７０の収容部７１に流れ落ちる。
【００５０】
この結果、オイル漏れが発生した場合でも、オイルフィルターケース１００を円滑に取り外すことができる。
【００５１】
また、本実施形態１では、複数の溝部のうち周方向に連続して並んだ３つの溝部を、順に、第１溝部、第２溝部、及び第３溝部として、第１溝部と第２溝部との間の周方向の距離と、第２溝部と第３溝部との間の周方向の距離とが異なる。これにより、各係合面の周方向の並びと各溝部の周方向の並びとが相違するようになる。これにより、オイルフィルターケース１００の角部１０１が誤って溝部と係合することが適切に抑制される。この結果、オイルフィルターケース１００をより円滑に取り外すことができる。
【００５２】
また、本実施形態１では、工具本体１０における容器７０とは反対側の端部には、上段部２０に連続しかつオイルフィルターケース１００よりも大きな横断面積を有する環状の受け皿部１４が設けられており、複数の上段溝部２２は、受け皿部１４の空間部１３側の部分と連続している。これにより、オイルフィルターケース１００が上段部２０と係合したとしても、オイルフィルターケース１００とオイルパンＰとの間から漏れ出たオイルは、受け皿部１４で受け止められ、受け皿部１４から上段溝部２２に沿って流れ落ちる。これにより、上段係合面２１と角部１０１との間にオイルが入り込むのを適切に抑制することができる。この結果、オイルフィルターケース１００を一層円滑に取り外すことができる。
【００５３】
また、本実施形態１において、底部１２における側壁部１１と孔部５０との間の部分には、孔部５０に向かって環軸方向の容器７０側に傾斜した傾斜面５１が形成されている。これにより、溝部２２，３２，４２に沿って流れ落ちて底部１２に到達したオイルは、孔部５０に向かって流れやすくなる。これにより、漏れ出たオイルの回収が容易になる。
【００５４】
また、本実施形態１において、各溝部の溝幅は、各係合面の周方向における長さの３５％〜４５％である。これにより、オイルが溝部を流れやすくなる。この結果、漏れ出たオイルの回収が容易になる。
【００５５】
また、本実施形態１において、側壁部１１は、環軸方向の底部１２側に向かって空間部１３の横断面積が小さくなるような複数段構成をなしており、溝部２２，３２，４２は、特定の段の側壁部１１とオイルフィルターケース１００とが係合した状態において、該特定の段の側壁部１１に設けられた溝部２２，３２，４２が環軸方向に連通するように構成されている。この構成のように複数段構成となっていれば、種々の規格のオイルフィルターケース１００に対応することができる。この結果、オイルフィルターケース１００をより一層円滑に取り外すことができる。
【００５６】
また、本実施形態１において、容器７０は、工具本体１０に対して着脱可能に結合されている。これにより、回収したオイルの廃棄や再利用が容易になる。
【００５７】
図８は、本実施形態１に係る着脱工具１の変形例を示し、この変形例では、工具本体１０と容器７０とが一体に結合されている。詳細な図示は省略しているが、側壁部１１の構成は、本実施形態１の側壁部と同じ構成である。この変形例でも、オイル漏れが発生した場合でも、オイルフィルターケース１００を円滑に取り外すことができる。
【００５８】
また、この変形例では、工具本体１０と容器７０とが一体になっているため、着脱工具１の強度を向上させることができる。また、工具本体１０の係合面とオイルフィルターケース１００の角部１０１とを係合させた状態でオイルフィルターケース１００を回転させるときに、容器７０ごとオイルフィルターケース１００を回しやすい。このため、オイルフィルターケース１００をさらに円滑に取り外すことができる。
【００５９】
（実施形態２）
以下、実施形態２について、図面を参照しながら詳細に説明する。尚、以下の説明において前記実施形態１と共通の部分については、同じ符号を付して、その詳細な説明を省略する。
【００６０】
図９及び図１０に示すように、本実施形態２は、工具本体２１０において、各段部２０，３０，４０にそれぞれ形成された各溝部２２２，２３２，２４２が、それぞれ周方向に均等に並んでいる点で、前記実施形態１とは異なる。この実施形態２でも、オイルフィルターケース１００の角部１０１と係合面２１，３１，４１とが係合した状態で、対応する各溝部２２２，２３２，２４２は環軸方向に連通した状態になる。この結果、オイルフィルターケース１００をオイルパンＰから取り外すときに、オイル漏れが発生したとしても、漏れ出たオイルは溝部２２２，２３２，２４２を通って、底部１２まで流れ落ちた後、孔部５０を介して容器７０の収容部７１に流れ落ちる。一方で、着脱工具１の係合面２１，３１，４１とオイルフィルターケース１００の角部１０１との間にはオイルが入りにくい。
【００６１】
したがって、本実施形態２に係る着脱工具２０１によると、オイル漏れが発生した場合でも、オイルフィルターケース１００を円滑に取り外すことができる。
【００６２】
（実施形態３）
以下、実施形態３について、図面を参照しながら詳細に説明する。尚、以下の説明において前記実施形態１及び２と共通の部分については、同じ符号を付して、その詳細な説明を省略する。
【００６３】
図１１及び図１２に示すように、本実施形態３は、工具本体３１０において、各溝部３２２，３３２，３４２が、対応する係合面３２１，３３１，３４１の中間部分には形成されておらず、周方向に相隣接する係合面３２１，３３１，３４１の間に設けられている点で、前記実施形態１及び２とは異なる。より具体的には、本実施形態３では、溝部３２２，３３２，３４２設けられている部分には係合面３２１，３３１，３４１が設けられていない。また、溝部３２２，３３２，３４２の各溝幅は前記実施形態１及び２よりも大きくなっている。
【００６４】
本実施形態３でも、オイルフィルターケース１００の角部１０１と係合面３２１，３３１，３４１とが係合した状態で、対応する各溝部３２２，３３２，３４２は環軸方向に連通した状態になる。この結果、オイルフィルターケース１００をオイルパンＰから取り外すときに、オイル漏れが発生したとしても、漏れ出たオイルは溝部３２２，３３２，３４２を通って、底部１２まで流れ落ちた後、孔部５０を介して容器７０の収容部７１に流れ落ちる。一方で、着脱工具１の係合面３２１，３３１，３４１とオイルフィルターケース１００の角部１０１との間にはオイルが入りにくい。
【００６５】
したがって、本実施形態３に係る着脱工具３０１によると、オイル漏れが発生した場合でも、オイルフィルターケース１００を円滑に取り外すことができる。
【００６６】
（実施形態４）
以下、実施形態４について、図面を参照しながら詳細に説明する。尚、以下の説明において前記実施形態１〜３と共通の部分については、同じ符号を付して、その詳細な説明を省略する。
【００６７】
図１３及び図１５に示すように、本実施形態４は、工具本体４１０において、側壁部４１１における空間部１３とは反対側の面部（以下、外側側壁面部４１１ａという）が、側壁部４１１における空間部１３の面部の形状に対応している点で、前記実施形態１〜３とは異なる。また、図１４〜図１６に示すように、底部４１２において、下段部４０の各下段溝部４４２の位置にリブ４４３がそれぞれ設けられている点で、前記実施形態１〜３とは異なる。
【００６８】
図１３に示すように、外側側壁面部４１１ａは、係合面４２１，４３１，４４１に対応する部分は平面状になっている一方、溝部４２２，４３２，４４２に対応する部分は、反空間部１３側に向かって膨出している。このような形状にすることにより、側壁部４１１の厚みを全体的に均一にすることができる。これにより、工具本体４１０を製造する際にヒケが発生するのを抑制することができる。また、外側側壁面部４１１ａに凹凸が形成されるため、工具本体４１０を掴みやすくなり、オイルフィルターケース１００を取り外す作業がより容易になる。
【００６９】
図１４及び図１５に示すように、リブ４４３は、下段溝部４４２の周方向の両端から孔部５０に向かってそれぞれ延びている。このリブ４４３により、図１６に示すように、下段係合面４４１と係合する大きさのオイルフィルターケース１００を取り外す作業において、工具本体４１０をオイルフィルターケース１００に押し付けたとしても、オイルフィルターケース１００と底部１２との間に隙間が生じるようになる。これにより、漏れ出たオイルが孔部５０に向かって流れやすくなる。
【００７０】
したがって、本実施形態４に係る着脱工具４０１によると、オイル漏れが発生した場合でも、オイルフィルターケース１００をより円滑に取り外すことができる。
【００７１】
（その他の実施形態）
本発明は、前記実施形態に限られるものではなく、請求の範囲の主旨を逸脱しない範囲で代用が可能である。
【００７２】
例えば、前述の実施形態１〜４では、側壁部１１は３段構成となっていたが、これに限らず、４段以上の構成でも２段以下の構成でもよい。
【００７３】
また、前述の実施形態２〜４でも、工具本体２１０，３１０と容器７０とが一体に結合されていてもよい。
【００７４】
また、前述の実施形態１〜３でも、前述の実施形態４のように、底部１２にリブを設けるようにしてもよい。
【００７５】
前述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００７６】
本発明は、オイル貯留部に接続部を介して取り付けられかつ複数の角部が形成された横断面を有するオイルフィルターケースの着脱工具として有用である。
【符号の説明】
【００７７】
１，２０１，３０１，４０１    着脱工具
１０，２１０，３１０，４１０    工具本体
１１    側壁部
１２    底部
１３    空間部
１４    受け皿部
２１，３２１，４２１    上段係合面
２２，２２２，３２２，４２２    上段溝部
３１，３３１，４３１    中段係合面
３２，２３２，３３２，４３２    中段溝部
４１，３４１，４４１    下段係合面
４２，２４２，３４２，４４２    下段溝部
５０    孔部
５１    傾斜面
７０    容器
７１    収容部
１００    オイルフィルターケース
【図１】
2020138263.tif 000003
【図２】
2020138263.tif 000004
【図３】
2020138263.tif 000005
【図４】
2020138263.tif 000006
【図５】
2020138263.tif 000007
【図６】
2020138263.tif 000008
【図７】
2020138263.tif 000009
【図８】
2020138263.tif 000010
【図９】
2020138263.tif 000011
【図１０】
2020138263.tif 000012
【図１１】
2020138263.tif 000013
【図１２】
2020138263.tif 000014
【図１３】
2020138263.tif 000015
【図１４】
2020138263.tif 000016
【図１５】
2020138263.tif 000017
【図１６】
2020138263.tif 000018
【手続補正書】
【提出日】令和2年5月27日(2020.5.27)
【手続補正１】
【補正対象書類名】明細書
【補正対象項目名】全文
【補正方法】変更
【補正の内容】
【発明の詳細な説明】
【技術分野】
【０００１】
本発明は、オイルフィルターケースを着脱する際に用いられる着脱工具に関する技術分野に属する。
【背景技術】
【０００２】
従来より、オイルフィルターケースを着脱するための工具が知られている。
【０００３】
特許文献１には、底部と側壁とから形成される空間部を有し、底部の内側面に円錐状突起が環状に等配形成され、底部に排出孔が形成され、底部の外側面に排出孔に連通する排油管が垂設されている着脱工具が開示されている。
【先行技術文献】
【特許文献】
【０００４】
【特許文献１】実開昭５９−８６９７６号公報
【発明の概要】
【発明が解決しようとする課題】
【０００５】
ところで、オイルフィルターケースをオイル貯留部（オイルパンなど）から取り外したときには、オイルが漏れ出ることがある。
【０００６】
特許文献１に記載の着脱工具は、オイルフィルターケースを貯留部から取り外したときに漏れ出るオイルを空間部で受け止めることで、漏れ出たオイルが作業者に付着するのを抑制している。また、特許文献１に記載の着脱工具は、底部に設けられた突起でオイルフィルターケースを挟持することで、オイルフィルターケースを離脱方向に回転できるようにしている。
【０００７】
しかしながら、特許文献１に記載の着脱工具は、オイルフィルターケースと突起との接触面積が小さい。このため、オイルフィルターケースの取り外し中にオイル漏れが発生したときには、オイルフィルターケースと突起との間にオイルが入って、突起が滑るようになってしまう。これにより、着脱工具によってオイルフィルターケースを取り外しにくくなる。
【０００８】
本発明は、斯かる点に鑑みてなされたものであり、その目的とするところは、オイル漏れが発生した場合でも、オイルフィルターケースを円滑に取り外すことができるオイルフィルターケースの着脱工具を提供することにある。
【課題を解決するための手段】
【０００９】
前記課題を解決するために、本発明は、オイル貯留部に接続部を介して取り付けられかつ複数の角部が形成された横断面を有するオイルフィルターケースの着脱工具を対象として、環状の側壁部と該側壁部に連続する底部とにより形成された空間部を有する工具本体と、前記側壁部における空間部側の部分に形成され、前記複数の角部の少なくとも一部と係合する複数の係合面と、周方向における前記係合面の間に設けられ、前記係合面よりも反空間部側に向かって凹んだ複数の溝部と、前記底部に設けられた孔部と、前記孔部により前記空間部と連通する収容部を有し、前記工具本体に結合された容器とを備え、前記容器の内側寸法は、前記孔部の内側寸法よりも大きく、前記各角部と前記各係合面とが係合された状態で、前記オイルフィルターケースが回転されて該オイルフィルターケースが着脱される、という構成とした。
【００１０】
この構成によると、オイルフィルターケースの取り外し中にオイル漏れが発生したときには、オイルは空間部内に入って、溝部に沿って流れ落ちる。このときでも、着脱工具の係合面はオイルフィルターケースの角部とそれぞれ係合した状態が維持される。このため、オイル漏れが発生した場合でも、オイルフィルターケースを円滑に取り外すことができる。
【００１１】
また、溝部に沿って流れ落ちたオイルは、孔部を介して収容部に流れる。これにより、漏れ出たオイルの回収が可能となる。
【００１２】
前記オイルフィルターケースの着脱工具において、前記複数の溝部のうち前記周方向に連続して並んだ３つの溝部を、順に、第１溝部、第２溝部、及び第３溝部として、第１溝部と第２溝部との間の前記周方向の距離と、第２溝部と第３溝部との間の前記周方向の距離とが異なる、という構成でもよい。
【００１３】
この構成によると、各係合面の周方向の並びと各溝部の周方向の並びとが相違するようになる。これにより、オイルフィルターケースの角部が誤って溝部と係合することが適切に抑制される。この結果、オイルフィルターケースをより円滑に取り外すことができる。
【００１４】
前記オイルフィルターケースの着脱工具において、前記工具本体における反容器側の端部には、前記側壁部に連続しかつ前記オイルフィルターケースよりも大きな横断面積を有する環状の受け皿部が設けられており、前記複数の溝部は、前記受け皿部の前記空間部側の部分と連続している、という構成でもよい。
【００１５】
この構成によると、オイルフィルターケースの離脱中に漏れ出たオイルは、一旦、受け皿部で受け止められる。受け皿部は溝部と連続しているため、前記オイルは受け皿部から溝部に沿って流れ落ちる。これにより、係合面と角部との間にオイルが入り込むのを適切に抑制することができる。この結果、オイルフィルターケースを一層円滑に取り外すことができる。
【００１６】
前記オイルフィルターケースの着脱工具において、前記底部における前記側壁部と前記孔部との間の部分には、前記孔部に向かって環軸方向の前記容器側に傾斜した傾斜面が形成されている、という構成でもよい。
【００１７】
この構成によると、溝部に沿って流れ落ちて底部に到達したオイルは、孔部に向かって流れやすくなる。これにより、漏れ出たオイルの回収が容易になる。
【００１８】
前記オイルフィルターケースの着脱工具において、前記各溝部の溝幅は、前記各係合面の前記周方向における長さの３５％〜４５％である、という構成でもよい。
【００１９】
この構成によると、オイルが溝部を流れやすくなる。これにより、漏れ出たオイルの回収が容易になる。
【００２０】
前記オイルフィルターケースの着脱工具において、前記側壁部は、環軸方向の前記底部側に向かって前記空間部の横断面積が小さくなるような複数段構成をなしており、前記各溝部は、特定の段の側壁部とオイルフィルターケースとが係合した状態において、該特定の段の前記側壁部に設けられた溝部が前記環軸方向に連通するように構成されている、という構成でもよい。
【００２１】
すなわち、オイルフィルターケースは規格により種々の大きさがある。このため、前記構成のように複数段構成となっていれば、種々の規格のオイルフィルターケースに対応することができる。この結果、オイルフィルターケースをより一層円滑に取り外すことができる。
【００２２】
前記オイルフィルターケースの着脱工具において、前記容器は、前記工具本体に対して着脱可能に結合されている、という構成でもよい。
【００２３】
この構成によると、回収したオイルの廃棄や再利用が容易になる。
【発明の効果】
【００２４】
以上説明したように、本発明に係るオイルフィルターケースの着脱工具によると、オイルフィルターケースの離脱中に、オイル漏れが発生した場合でも、オイルフィルターケースを円滑に取り外すことができる。
【図面の簡単な説明】
【００２５】
【図１】実施形態１に係るオイルフィルターケースの着脱工具を示す正面図である。
【図２】着脱工具を用いて取り外されるオイルフィルターケースを示す概略図である。
【図３】工具本体の断面斜視図である。
【図４】工具本体を環軸方向から見た図である。
【図５】工具本体とオイルフィルターケースとの係合状態を示す拡大図である。
【図６】着脱工具を用いてオイルフィルターケースを取り外す過程を示す図である。
【図７】図６における工具本体周辺の拡大図である。
【図８】着脱工具の変形例を示す正面図である。
【図９】実施形態２に係る着脱工具の工具本体の断面斜視図である。
【図１０】実施形態２に係る着脱工具の工具本体を環軸方向から見た図である。
【図１１】実施形態３に係る着脱工具の工具本体の断面斜視図である。
【図１２】実施形態３に係る着脱工具の工具本体を環軸方向から見た図である。
【図１３】実施形態４に係る着脱工具の工具本体の側面図である。
【図１４】実施形態４に係る着脱工具の工具本体の断面斜視図である。
【図１５】実施形態４に係る着脱工具の工具本体を環軸方向から見た図である。
【図１６】実施形態４に係る着脱工具の工具本体の拡大断面図であって、該工具本体をオイルフィルターケースに嵌め込んだ状態を示す。
【発明を実施するための形態】
【００２６】
以下、本発明の実施形態を図面に基づいて詳細に説明する。
【００２７】
（実施形態１）
図１は、本実施形態１に係る着脱工具１を示し、図２は、該着脱工具１を用いて取り外されるオイルフィルターケース１００を示す。図２に示すように、オイルフィルターケース１００は、内燃機関のオイルパンＰ（オイル貯留部）に取り付けられたオイルフィルターを覆っている。オイルフィルターケース１００は、有底円筒状をなしている。オイルフィルターケース１００は、周面部における底部寄りの部分に周方向に並ぶ複数の角部１０１を有する。つまり、オイルフィルターケース１００は、複数の角部１０１が形成された横断面を有する。
【００２８】
図１に示すように、着脱工具１は、工具本体１０と、工具本体１０に結合される容器５０とを備える。本実施形態１においては、工具本体１０と容器７０とは着脱可能に結合されている。
【００２９】
工具本体１０は、図３及び図４に示すように、環状の側壁部１１と該側壁部１１に連続する底部１２とにより形成された空間部１３を有する。工具本体１１は、環軸Ｘの延びる方向（以下、環軸方向という）における底部１２とは反対側が開口している。工具本体１０は、樹脂で形成されている。
【００３０】
側壁部１１は、図１及び図３に示すように、工具本体１０の開口側から底部１側に向かって段状に縮径している。具体的には、側壁部１１は、環軸方向の底部１２側に向かって空間部１３の横断面積が小さくなるような複数段（ここでは３段）構成をなしている。以下の説明では、側壁部１１の各段部について、開口側から底部１２側に向かって、上段部２０、中段部３０、及び下段部４０という。
【００３１】
上段部２０は、最も横断面積の大きい部分である。上段部２０の空間部１３側の部分には、複数の角部１０１の少なくとも一部と係合する複数の上段係合面２１が周方向に並んで形成されている。周方向に相隣接する２つの上段係合面２１の間には角部が形成されており、上段部２０の横断面形状は略多角形状をなしている。図３及び図４に示すように、各上段係合面２１の周方向の間には、該上段係合面２１よりも反空間部１３側に向かって凹んだ複数の上段溝部２２がそれぞれ形成されている。特に、本実施形態１では、上段溝部２２は、上段係合面２１の周方向の中間部分に設けられている。各上段溝部２２は、上段係合面２１の環軸方向の全体に亘って延びている。上段溝部２２の溝幅Ｗ１１は、上段係合面２１の面幅Ｗ１２（周方向の幅）に対して約３９％の大きさである。尚、上段溝部２２の溝幅Ｗ１１の上段係合面２１の面幅Ｗ１２に対する比率は、３５％〜４５％であれば、任意に設定可能である。
【００３２】
図４に示すように、周方向に連続して並んだ３つの上段溝部２２は、３つの上段溝部２２を、周方向に順に、第１上段溝部２２ａ、第２上段溝部２２ｂ、及び第３上段溝部２２ｃとして、第１上段溝部２２ａと第２上段溝部２２ｂとの間の周方向の距離と、第２上段溝部２２ｂと第３上段溝部２２ｃとの間の周方向の距離とが異なるように並んでいる。例えば、図４では、第１〜第３上段溝部２２ａ〜２２ｃは、第１上段溝部２２ａと第２上段溝部２２ｂとの間の周方向の距離Ｌ１が、第２上段溝部２２ｂと第３上段溝部２２ｃとの間の周方向の距離Ｌ２よりも長くなるように並んでいる。
【００３３】
図３に示すように、上段部２０と中段部３０との境界部において、各上段溝部２２にはアールが形成されている。このアールは、オイルフィルターケース１００の側面と底面との間のアールよりも大きい曲率半径を有する。
【００３４】
中段部３０は、横断面積が上段部２０より小さくかつ下段部４０より大きい部分である。中段部３０の空間部１３側の部分にも、上段部２０と同様に、複数の角部１０１の少なくとも一部と係合する複数の中段係合面３１が周方向に並んで形成されている。また、各中段係合面３１の間には、上段部２０と同様に、該中段係合面３１よりも反空間部１３側に向かって凹んだ複数の中段溝部３２がそれぞれ形成されている。特に、本実施形態１では、中段溝部３２は、中段係合面３１の中間部分に設けられている。各中段溝部３２は、中段係合面３１の環軸方向の全体に亘って延びている。尚、中段溝部３２の溝幅の中段係合面３１の面幅に対する比率は４２％である。該比率は、３５％〜４５％であれば、任意に設定可能である。
【００３５】
図４に示すように、各中段溝部３２の周方向における並びは、上段溝部２２と同様に、周方向に連続して並んだ３つの中段溝部３２は、３つの中段溝部３２を、周方向に順に、第１中段溝部３２ａ、第２中段溝部３２ｂ、及び第３中段溝部３２ｃとして、第１中段溝部３２ａと第２中段溝部３２ｂとの間の周方向の距離と、第２中段溝部３２ｂと第３中段溝部３２ｃとの間の周方向の距離とが異なるように並んでいる。
【００３６】
尚、中段部３０と下段部４０との境界部において、各中段溝部３２には、上段溝部２２と同様に、アールが形成されている。このアールは、オイルフィルターケース１００の側面と底面との間のアールよりも大きい曲率半径を有する。
【００３７】
下段部４０は、横断面積が最も小さい部分である。下段部４０の空間部１３側の部分にも、上段部２０及び中段部３０と同様に、複数の角部１０１の少なくとも一部と係合する複数の下段係合面４１が周方向に並んで形成されている。また、各下段係合面４１の間には、上段部２０及び中段部３０と同様に、該下段係合面４１よりも反空間部側に向かって凹んだ複数の下段溝部４２がそれぞれ形成されている。特に、本実施形態１では、下段溝部４２は、下段係合面４１の中間部分に設けられている。各下段溝部４２は、下段係合面４１の環軸方向の全体に亘って延びている。尚、下段溝部４２の溝幅の下段係合面４１の面幅に対する比率は４２％である。該比率は、３５％〜４５％であれば、任意に設定可能である。
【００３８】
図４に示すように、各下段溝部４２の周方向における並びは、上段溝部２２及び中段溝部３２と同様に、周方向に連続して並んだ３つの下段溝部４２は、３つの下段溝部４２を、周方向に順に、第１下段溝部４２ａ、第２下段溝部４２ｂ、及び第３下段溝部４２ｃとして、第１下段溝部４２ａと第２下段溝部４２ｂとの間の周方向の距離と、第２下段溝部４２ｂと第３下段溝部４２ｃとの間の周方向の距離とが異なるように並んでいる。
【００３９】
尚、下段部３０と底部１２との境界部において、各下段溝部４２には、上段溝部２２及び中段溝部３２と同様に、アールが形成されている。このアールは、オイルフィルターケース１００の側面と底面との間のアールよりも大きい曲率半径を有する。
【００４０】
図５には、工具本体１０とオイルフィルターケース１００との係合状態を示す。図５に示すように、工具本体１０によりオイルフィルターケース１００をオイルパンＰから取り外すときには、対応する段部２０，３０，４０の係合面２１，３１，４１とオイルフィルターケース１００の角部１０１とが、面接触に近い状態で接触する。そして、係合面２１，３１，４１からオイルフィルターケース１００に力が伝達されて、該オイルフィルターケース１００が回転する。
【００４１】
工具本体１０における容器７０とは反対側の端部、詳しくは、前記環軸方向における上段部２０よりも反底部１２側の部分には、側壁部１１に連続しかつオイルフィルターケース１００よりも大きな横断面積を有する環状の受け皿部１４が設けられている。上段部２０の複数の上段溝部２２は、受け皿部１４の空間部１３側の部分と連続している。
【００４２】
底部１２は、径方向の中央に孔部５０を有する。孔部５０は、空間部１３と容器７０の収容部７１とを連通させている。
【００４３】
図３に示すように、底部１２における側壁部１１と孔部５０との間の部分には、孔部５０に向かって環軸方向の容器７０側に傾斜した傾斜面５１が形成されている。
【００４４】
図３に示すように、工具本体１０における底部１２に対して反空間部１３側には、容器７０が螺号するスクリュー部１５が形成されている。容器７０は、スクリュー部１５を介して工具本体１０に着脱可能に結合されている。
【００４５】
本実施形態１に係る着脱工具１により、オイルフィルターケース１００をオイルパンＰから取り外すには、まず、図６に示すように、工具本体１０の空間部１３内にオイルフィルターケース１００が収容されるように、オイルフィルターケース１００の外側に工具本体１０を嵌め込む。次に、工具本体１０の係合面（ここでは、中段係合面３１）とオイルフィルターケース１００の角部１０１とを係合させる。その後、容器７０ごと工具本体１０を回転させることで、オイルフィルターケース１００がオイルパンＰから取り外される。尚、本実施形態においては、オイルフィルターケース１００はオイルフィルター本体ごとオイルパンＰから取り外される。
【００４６】
ここで、オイルフィルターケース１００をオイルパンＰから取り外したときに、オイルフィルターケース１００とオイルパンＰとの間の隙間からオイルが漏れ出ることがある。これに対して、本実施形態１に記載の着脱工具１によると、図７に示すように、オイルフィルターケース１００の取り外し中にオイル漏れが発生したときには、オイルは空間部１３内に入って、溝部（ここでは中段溝部３２）に沿って流れ落ちる。すなわち、側壁部１１に形成された複数の溝部は、それぞれ、係合面よりも反空間部１３側に向かって凹んでいるため、図５に示すように、係合面と角部１０１とが係合した状態では、各溝部の部分に隙間が形成される。また、溝部に形成されたアールによって、係合面と角部１０１とが係合した状態でも、溝部は環軸方向に連通した状態となる。これにより、溝部に流れたオイルは溝部を通って、底部１２まで流れ落ちた後、孔部５０を介して容器７０の収容部７１に流れ落ちる。
【００４７】
このとき、図３に黒矢印で示すように、オイルは各溝部２２，３２，４２を通って流れ落ちることもあれば、１つの溝部（図３では上段溝部２２）を通った後、係合していない係合面（図３では中段係合面３１及び下段係合面４１）に沿って流れ落ちることもある。
【００４８】
一方で、着脱工具１の係合面（ここでは中段係合面３１）とオイルフィルターケース１００の角部１０１との間にはオイルが入りにくい。これにより、着脱工具１の各係合面とオイルフィルターケース１００の各角部１０１とはそれぞれ係合した状態が維持される。
【００４９】
オイルフィルターケース１００が他の段（上段部２０及び下段部４０）と係合したときにも、同様に、オイルは対応する溝部に沿って流れて、底部１２に流れ落ちた後、孔部５０を介して容器７０の収容部７１に流れ落ちる。
【００５０】
この結果、オイル漏れが発生した場合でも、オイルフィルターケース１００を円滑に取り外すことができる。
【００５１】
また、本実施形態１では、複数の溝部のうち周方向に連続して並んだ３つの溝部を、順に、第１溝部、第２溝部、及び第３溝部として、第１溝部と第２溝部との間の周方向の距離と、第２溝部と第３溝部との間の周方向の距離とが異なる。これにより、各係合面の周方向の並びと各溝部の周方向の並びとが相違するようになる。これにより、オイルフィルターケース１００の角部１０１が誤って溝部と係合することが適切に抑制される。この結果、オイルフィルターケース１００をより円滑に取り外すことができる。
【００５２】
また、本実施形態１では、工具本体１０における容器７０とは反対側の端部には、上段部２０に連続しかつオイルフィルターケース１００よりも大きな横断面積を有する環状の受け皿部１４が設けられており、複数の上段溝部２２は、受け皿部１４の空間部１３側の部分と連続している。これにより、オイルフィルターケース１００が上段部２０と係合したとしても、オイルフィルターケース１００とオイルパンＰとの間から漏れ出たオイルは、受け皿部１４で受け止められ、受け皿部１４から上段溝部２２に沿って流れ落ちる。これにより、上段係合面２１と角部１０１との間にオイルが入り込むのを適切に抑制することができる。この結果、オイルフィルターケース１００を一層円滑に取り外すことができる。
【００５３】
また、本実施形態１において、底部１２における側壁部１１と孔部５０との間の部分には、孔部５０に向かって環軸方向の容器７０側に傾斜した傾斜面５１が形成されている。これにより、溝部２２，３２，４２に沿って流れ落ちて底部１２に到達したオイルは、孔部５０に向かって流れやすくなる。これにより、漏れ出たオイルの回収が容易になる。
【００５４】
また、本実施形態１において、各溝部の溝幅は、各係合面の周方向における長さの３５％〜４５％である。これにより、オイルが溝部を流れやすくなる。この結果、漏れ出たオイルの回収が容易になる。
【００５５】
また、本実施形態１において、側壁部１１は、環軸方向の底部１２側に向かって空間部１３の横断面積が小さくなるような複数段構成をなしており、溝部２２，３２，４２は、特定の段の側壁部１１とオイルフィルターケース１００とが係合した状態において、該特定の段の側壁部１１に設けられた溝部２２，３２，４２が環軸方向に連通するように構成されている。この構成のように複数段構成となっていれば、種々の規格のオイルフィルターケース１００に対応することができる。この結果、オイルフィルターケース１００をより一層円滑に取り外すことができる。
【００５６】
また、本実施形態１において、容器７０は、工具本体１０に対して着脱可能に結合されている。これにより、回収したオイルの廃棄や再利用が容易になる。
【００５７】
図８は、本実施形態１に係る着脱工具１の変形例を示し、この変形例では、工具本体１０と容器７０とが一体に結合されている。詳細な図示は省略しているが、側壁部１１の構成は、本実施形態１の側壁部と同じ構成である。この変形例でも、オイル漏れが発生した場合でも、オイルフィルターケース１００を円滑に取り外すことができる。
【００５８】
また、この変形例では、工具本体１０と容器７０とが一体になっているため、着脱工具１の強度を向上させることができる。また、工具本体１０の係合面とオイルフィルターケース１００の角部１０１とを係合させた状態でオイルフィルターケース１００を回転させるときに、容器７０ごとオイルフィルターケース１００を回しやすい。このため、オイルフィルターケース１００をさらに円滑に取り外すことができる。
【００５９】
（実施形態２）
以下、実施形態２について、図面を参照しながら詳細に説明する。尚、以下の説明において前記実施形態１と共通の部分については、同じ符号を付して、その詳細な説明を省略する。
【００６０】
図９及び図１０に示すように、本実施形態２は、工具本体２１０において、各段部２０，３０，４０にそれぞれ形成された各溝部２２２，２３２，２４２が、それぞれ周方向に均等に並んでいる点で、前記実施形態１とは異なる。この実施形態２でも、オイルフィルターケース１００の角部１０１と係合面２１，３１，４１とが係合した状態で、対応する各溝部２２２，２３２，２４２は環軸方向に連通した状態になる。この結果、オイルフィルターケース１００をオイルパンＰから取り外すときに、オイル漏れが発生したとしても、漏れ出たオイルは溝部２２２，２３２，２４２を通って、底部１２まで流れ落ちた後、孔部５０を介して容器７０の収容部７１に流れ落ちる。一方で、着脱工具１の係合面２１，３１，４１とオイルフィルターケース１００の角部１０１との間にはオイルが入りにくい。
【００６１】
したがって、本実施形態２に係る着脱工具２０１によると、オイル漏れが発生した場合でも、オイルフィルターケース１００を円滑に取り外すことができる。
【００６２】
（実施形態３）
以下、実施形態３について、図面を参照しながら詳細に説明する。尚、以下の説明において前記実施形態１及び２と共通の部分については、同じ符号を付して、その詳細な説明を省略する。
【００６３】
図１１及び図１２に示すように、本実施形態３は、工具本体３１０において、各溝部３２２，３３２，３４２が、対応する係合面３２１，３３１，３４１の中間部分には形成されておらず、周方向に相隣接する係合面３２１，３３１，３４１の間に設けられている点で、前記実施形態１及び２とは異なる。より具体的には、本実施形態３では、溝部３２２，３３２，３４２設けられている部分には係合面３２１，３３１，３４１が設けられていない。また、溝部３２２，３３２，３４２の各溝幅は前記実施形態１及び２よりも大きくなっている。
【００６４】
本実施形態３でも、オイルフィルターケース１００の角部１０１と係合面３２１，３３１，３４１とが係合した状態で、対応する各溝部３２２，３３２，３４２は環軸方向に連通した状態になる。この結果、オイルフィルターケース１００をオイルパンＰから取り外すときに、オイル漏れが発生したとしても、漏れ出たオイルは溝部３２２，３３２，３４２を通って、底部１２まで流れ落ちた後、孔部５０を介して容器７０の収容部７１に流れ落ちる。一方で、着脱工具１の係合面３２１，３３１，３４１とオイルフィルターケース１００の角部１０１との間にはオイルが入りにくい。
【００６５】
したがって、本実施形態３に係る着脱工具３０１によると、オイル漏れが発生した場合でも、オイルフィルターケース１００を円滑に取り外すことができる。
【００６６】
（実施形態４）
以下、実施形態４について、図面を参照しながら詳細に説明する。尚、以下の説明において前記実施形態１〜３と共通の部分については、同じ符号を付して、その詳細な説明を省略する。
【００６７】
図１３及び図１５に示すように、本実施形態４は、工具本体４１０において、側壁部４１１における空間部１３とは反対側の面部（以下、外側側壁面部４１１ａという）が、側壁部４１１における空間部１３の面部の形状に対応している点で、前記実施形態１〜３とは異なる。また、図１４〜図１６に示すように、底部４１２において、下段部４０の各下段溝部４４２の位置にリブ４４３がそれぞれ設けられている点で、前記実施形態１〜３とは異なる。
【００６８】
図１３に示すように、外側側壁面部４１１ａは、係合面４２１，４３１，４４１に対応する部分は平面状になっている一方、溝部４２２，４３２，４４２に対応する部分は、反空間部１３側に向かって膨出している。このような形状にすることにより、側壁部４１１の厚みを全体的に均一にすることができる。これにより、工具本体４１０を製造する際にヒケが発生するのを抑制することができる。また、外側側壁面部４１１ａに凹凸が形成されるため、工具本体４１０を掴みやすくなり、オイルフィルターケース１００を取り外す作業がより容易になる。
【００６９】
図１４及び図１５に示すように、リブ４４３は、下段溝部４４２の周方向の両端から孔部５０に向かってそれぞれ延びている。このリブ４４３により、図１６に示すように、下段係合面４４１と係合する大きさのオイルフィルターケース１００を取り外す作業において、工具本体４１０をオイルフィルターケース１００に押し付けたとしても、オイルフィルターケース１００と底部１２との間に隙間が生じるようになる。これにより、漏れ出たオイルが孔部５０に向かって流れやすくなる。
【００７０】
したがって、本実施形態４に係る着脱工具４０１によると、オイル漏れが発生した場合でも、オイルフィルターケース１００をより円滑に取り外すことができる。
【００７１】
（その他の実施形態）
本発明は、前記実施形態に限られるものではなく、請求の範囲の主旨を逸脱しない範囲で代用が可能である。
【００７２】
例えば、前述の実施形態１〜４では、側壁部１１は３段構成となっていたが、これに限らず、４段以上の構成でも２段以下の構成でもよい。
【００７３】
また、前述の実施形態２〜４でも、工具本体２１０，３１０と容器７０とが一体に結合されていてもよい。
【００７４】
また、前述の実施形態１〜３でも、前述の実施形態４のように、底部１２にリブを設けるようにしてもよい。
【００７５】
前述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００７６】
本発明は、オイル貯留部に接続部を介して取り付けられかつ複数の角部が形成された横断面を有するオイルフィルターケースの着脱工具として有用である。
【符号の説明】
【００７７】
１，２０１，３０１，４０１    着脱工具
１０，２１０，３１０，４１０    工具本体
１１    側壁部
１２    底部
１３    空間部
１４    受け皿部
２１，３２１，４２１    上段係合面
２２，２２２，３２２，４２２    上段溝部
３１，３３１，４３１    中段係合面
３２，２３２，３３２，４３２    中段溝部
４１，３４１，４４１    下段係合面
４２，２４２，３４２，４４２    下段溝部
５０    孔部
５１    傾斜面
７０    容器
７１    収容部
１００    オイルフィルターケース
【手続補正２】
【補正対象書類名】特許請求の範囲
【補正対象項目名】全文
【補正方法】変更
【補正の内容】
【特許請求の範囲】
【請求項１】
オイル貯留部に接続部を介して取り付けられかつ複数の角部が形成された横断面を有するオイルフィルターケースの着脱工具であって、
環状の側壁部と該側壁部に連続する底部とにより形成された空間部を有する工具本体と、
前記側壁部における空間部側の部分に形成され、前記複数の角部の少なくとも一部と係合する複数の係合面と、
周方向における前記係合面の間に設けられ、前記係合面よりも反空間部側に向かって凹んだ複数の溝部と、
前記底部に設けられた孔部と、
前記孔部により前記空間部と連通する収容部を有し、前記工具本体に結合された容器とを備え、
前記容器の内側寸法は、前記孔部の内側寸法よりも大きく、
前記各角部と前記各係合面とが係合された状態で、前記オイルフィルターケースが回転されて該オイルフィルターケースが着脱されることを特徴とするオイルフィルターケースの着脱工具。
【請求項２】
請求項１に記載のオイルフィルターケースの着脱工具において、
前記複数の溝部のうち前記周方向に連続して並んだ３つの溝部を、順に、第１溝部、第２溝部、及び第３溝部として、
第１溝部と第２溝部との間の前記周方向の距離と、第２溝部と第３溝部との間の前記周方向の距離とが異なることを特徴とするオイルフィルターケースの着脱工具。
【請求項３】
請求項１又は２に記載のオイルフィルターケースの着脱工具において、
前記工具本体における反容器側の端部には、前記側壁部に連続しかつ前記オイルフィルターケースよりも大きな横断面積を有する環状の受け皿部が設けられており、
前記複数の溝部は、前記受け皿部の前記空間部側の部分と連続していることを特徴とするオイルフィルターケースの着脱工具。
【請求項４】
請求項１〜３のいずれか１つに記載のオイルフィルターケースの着脱工具において、
前記底部における前記側壁部と前記孔部との間の部分には、前記孔部に向かって環軸方向の前記容器側に傾斜した傾斜面が形成されていることを特徴とするオイルフィルターケースの着脱工具。
【請求項５】
請求項１〜４のいずれか１つに記載のオイルフィルターケースの着脱工具において、
前記各溝部の溝幅は、前記各係合面の前記周方向における長さの３５％〜４５％であることを特徴とするオイルフィルターケースの着脱工具。
【請求項６】
請求項１〜５のいずれか１つに記載のオイルフィルターケースの着脱工具において、
前記側壁部は、環軸方向の前記底部側に向かって前記空間部の横断面積が小さくなるような複数段構成をなしており、
前記各溝部は、特定の段の側壁部とオイルフィルターケースとが係合した状態において、該特定の段の前記側壁部に設けられた溝部が前記環軸方向に連通するように構成されていることを特徴とするオイルフィルターケースの着脱工具。
【請求項７】
請求項１〜６のいずれか１つに記載のオイルフィルターケースの着脱工具において、
前記容器は、前記工具本体に対して着脱可能に結合されていることを特徴とするオイルフィルターケースの着脱工具。